(57)【特許請求の範囲】
【請求項１】
交換局と加入者との間に置かれる加入者系端局装置であって、
それぞれ対応の加入者ポートと端局伝送路ポートを有し、異なる収容加入者数を有する複数の加入者系端局を有し、該複数の加入者系端局のそれぞれが運用または非運用に設定可能な加入者端局部と、
該加入者端局部の複数の加入者ポートのうち任意の加入者ポートと任意の加入者線との接続および切断を行う加入者接続部と、
該加入者端局部の複数の端局伝送路ポートのうち任意の端局伝送路ポートと任意の端局伝送路との接続および切断を行う端局伝送路接続部
とを有することを特徴とする加入者系端局装置。
【請求項２】
請求項１において、
前記加入者端局部は、前記複数の加入者ポートと端局伝送路ポートとの間でのタイムスロット割り当てを固定的に設定制御するタイムスロット割当機能部を有することを特徴とする加入者系端局装置。
【請求項３】
請求項１において、
前記加入者接続部、加入者端局部及び端局伝送路接続部は、前記複数の加入者ポートと端局伝送路ポートとの間でのタイムスロット割り当てを対向する交換機からの呼制御にしたがい動的に設定制御するタイムスロット割当機能部を
有することを特徴とする加入者系端局装置。
【請求項４】
請求項２において、
前記タイムスロット割当機能部は、前記加入者ポート上の２ビットのデータを前記端局伝送路ポート上の８ビットタイムスロットの任意の連続した２ビットに割り当て、最大４加入者分のデータを前記端局伝送路の１つのタイムスロットにに固定的に割り当てる
ことを特徴とする加入者系端局装置。
【請求項５】
請求項１乃至４において、
前記加入者接続部、加入者端局部及び端局伝送路接続部は、一体の時間スイッチで構成され、
前記加入者接続部に対応して設けられ、加入者線番号をアドレスとし読みだされる加入者ポート番号を記憶する加入者接続アドレス制御メモリと、
前記加入者端局部に対応して設けられ、該加入者ポート番号をアドレスとし読みだされる端局伝送路タイムスロット位置を記憶する加入者端局アドレス制御メモリと、
前記端局伝送路接続部に対応して設けられ、該端局伝送路タイムスロット位置をアドレスとし読みだされる伝送路タイムスロットを記憶する端局伝送路接続アドレス制御メモリと、
該加入者接続アドレス制御メモリ、加入者端局アドレス制御メモリ及び端局伝送路接続アドレス制御メモリの内容を合成して、該加入者線番号をアドレスとし該伝送路タイムスロットを記憶する一の合成アドレス制御メモリを有し、
該一の合成アドレス制御メモリにより、該一体の時間スイッチを制御することを特徴とする加入者系端局装置。
【請求項６】
請求項５において、
前記加入者接続アドレス制御メモリ、加入者端局アドレス制御メモリ及び端局伝送路接続アドレスメモリを監視制御し、タイムスロット割り当てを固定的に設定する第１のプロッセと、
該加入者端局アドレス制御メモリを制御して、呼制御による集線を制御する第２のプロッセを有することを特徴とする加入者系端局装置。
【請求項７】
請求項６において、
前記第１、第２のプロセッサは、前記加入者端局アドレス制御メモリへの書き込みを行う際に、セマフォを取得し、且つ書き込みを行うアドレスに有効データが書き込まれている時は、書き込みを不可とすることを特徴とする加入者系端局装置。
【請求項８】
請求項６において、
前記第１、第２のプロセッサから前記加入者端局アドレス制御メモリへの書き込みを行う際に、書き込みデータにチェック・コードを付加し、
該チェック・コードにより、該加入者端局アドレス制御メモリが書き込みデータの誤りを検知した時、該第１、第２のプロセッサの書き込みデータを送ったプロセッサに、誤り通知を行うことを特徴とする加入者系端局装置。
【請求項９】
請求項１乃至８において、
前記加入者線と端局伝送路間の信号フォーマットを、非同期信号に対し、スタッフ・デスタッフを行い、同期した信号に写像することを特徴とする加入者系端局装置。
【請求項１０】
請求項９において、
前記信号フォーマットは、ＳＯＮＥＴ規格のＶＴ１．５フォーマットであることを特徴とする加入者系端局装置。
【請求項１１】
請求項１０において、
前記ＳＯＮＥＴ規格のＶＴ１．５フォーマットのオーバヘッド部に、前記交換局と前記加入者端局部間で授受される情報を割り当て、主信号とともにタイムスロットの入れ換えを行うことを特徴とする加入者系端局装置。
【請求項１２】
請求項６において、
前記端末ポートの１つに接続され、保守者の制御により、第１のプロセッサを制御して、タイムスロット割り当てを固定的に設定する装置運用端末を有することを特徴とする加入者系端局装置。
【請求項１３】
請求項６において、
更に、装置間データ通信チャネルを設け、保守者の制御により、該装置間データ通信チャネルを通して、前記第１のプロセッサに制御信号を送り、タイムスロット割り当てを固定的に設定する装置運用端末を有することを特徴とする加入者系端局装置。
【発明の詳細な説明】
【０００１】
【発明の属する技術分野】
本発明は、交換局（Ｃｅｎｔｒａｌ  ｏｆｆｉｃｅ）と加入者間に置かれる加入者系端局装置（ＲＴ：Ｒｅｍｏｔｅ  Ｔｅｒｍｉｎａｌ  ）に関する。
【０００２】
【従来の技術】
交換局が遠方にあり、距離の問題として電話等の加入者を交換機に直接に収容できない場合がある。かかる状況においては、交換局と加入者との間に加入者系（Ｄｉｇｉｔａｌ  Ｌｏｏｐ  Ｃａｒｒｉｅｒ）端局装置を配置し、これに一旦加入者を収容する。そして、加入者系端局装置と交換局との問に敷設される光ファイバ等のディジタル伝送施設（Ｔｒａｎｓｍｉｓｓｉｏｎ  Ｆａｃｉｌｉｔｙ）を通して交換局に接続することが行われる。
【０００３】
かかる構成の事例として北米Ｓ０ＮＥＴ（Ｓｙｎｃｒｏｎｏｕｓ  Ｏｐｔｉｃａｌ  ＮＥＴｗｏｒｋ）規格に準拠した加入者系端局装置（ＲＴ：Ｒｅｍｏｔｅ  Ｔｅｒｍｉｎａｌ  ）がある。
【０００４】
この加入者系端局装置は、ベルコア（Ｂｅｌｌｃｏｒｅ）ＴＲ００８規格に準拠するものであり、以下ＴＲ−００８ＲＴと呼ぶ。９６本の電話加入者線をディジタル信号に変換した後、２４加入者分ずつ合計４本の局間伝送路に多重／分離する機能を有する。
【０００５】
したがって、かかる加入者系端局装置では、小容量（９６加入者）の加入者しか搬送できず、限定されたサービス（１加入者に１のＤＳ０割り当て）しか提供出来ないという問題がある。当然に、搬送する加入者数が多くなれば複数の加入者系端局装置を並列に使用することが必要となり、運用者にとって不利である。
【０００６】
【発明が解決しようとする課題】
これを解決する為に、次世代の加入者系端局装置が、ベルコア（Ｂｅｌｌｃｏｒｅ）ＴＲ−３０３規格（したがって、以下ＴＲ−３０３ＲＤＴと呼ぶ）により提唱された。かかるＴＲ−３０３ＲＤＴでは、収容加入者数を２，０００以上とし、また、従来の通常の電話サービスに加え、ＩＳＤＮサービスもサポートする等が提唱されている。したがって、保守・運用もＴＲ−００８ＲＴに対し、異なるものである。
【０００７】
しかし、次世代の加入者系端局装置（ＴＲ‐３０３ＲＤＴ）が提唱されたとはいえ、現在でも主流となっているのは従来の装置（ＴＲ‐００８ＲＴ）である。そのために、新たな加入者系端局装置（ＴＲ‐３０３ＲＤＴ）に全てが置き換えられる状態となるまでの、過渡期をどのようにするかが問題である。
【０００８】
即ち、ＴＲ−３０３ＲＤＴを開発したとしても、主流はＴＲ−００８ＲＴであり、要点としては加入者系端局装置がＴＲ‐００８／ＴＲ−３０３の両方に対応可能とすることである。更に、当面はＴＲ−００８ＲＴとして運用し、機が熟した時に簡単にかつ現状の運用・保守形態の変更を少なくしてＴＲ−３０３ＲＤＴに再編成する機能を実現することが要求される。
【０００９】
したがって、本発明の目的は、一の装置でＴＲ−００８／ＴＲ−３０３の両方の規格に対応可能である加入者系端局装置を提供することにある。
【００１０】
更に、本発明の目的は、ユーザの操作により容易にサービス運用形態を変更可能な加入者系端局装置を提供することにある。
【００１１】
更なる本発明の目的は、図面を参照しての本発明の実施の形態の説明からも明らかとなる。
【００１２】
【課題を解決するための手段】
上記本発明の課題を達成する加入者系端局装置の第１の構成は、交換局と加入者との間に置かれる加入者系端局装置であって、それぞれ対応の加入者ポートと端局伝送路ポートを有し、異なる収容加入者数を有する複数の加入者系端局を有し、該複数の加入者系端局のそれぞれが運用または非運用に設定可能な加入者端局部と、該加入者端局部の複数の加入者ポートのうち任意の加入者ポートと任意の加入者線との接続および切断を行う加入者接続部と、該加入者端局部の複数の端局伝送路ポートのうち任意の端局伝送路ポートと任意の端局伝送路との接続および切断を行う端局伝送路接続部とを有することを特徴とする。
【００１３】
更に第２の構成は、第１の構成において、前記加入者端局部は、前記複数の加入者ポートと端局伝送路ポートとの間でのタイムスロット割り当てを固定的、即ち半永久的に設定制御するタイムスロット割当機能部を有することを特徴とする。
【００１４】
かかる上記構成により、ユーザ操作により、固定的即ち、半永久的なタイムスロットの設定が可能である。
【００１５】
同時に、第３の構成として、前記加入者接続部、加入者端局部及び端局伝送路接続部は、前記複数の加入者ポートと端局伝送路ポートとの間でのタイムスロット割り当てを対向する交換機からの呼制御にしたがい動的に設定制御するタイムスロット割当機能部を有し、動的なタイムスロット割当ても可能である。
【００１６】
更に、第４の構成は、上記第２の構成において、前記タイムスロット割当機能部は、前記加入者ポート上の２ビットのデータを前記端局伝送路ポート上の８ビットタイムスロットの任意の連続した２ビットに割り当て、最大４加入者分のデータを前記端局伝送路の１つのタイムスロットにに固定的即ち、半永久的に割り当てる。
【００１７】
これは、ＩＳＤＮ加入者のＤチャネル（１６ｂｉｔｓ）×４を１タイムスロットに割り当て、伝送路の有効利用を可能とするものである。
【００１８】
また、第５の構成は、前記加入者接続部、加入者端局部及び端局伝送路接続部は、一体の時間スイッチで構成され、前記加入者接続部に対応して設けられ、加入者線番号をアドレスとし読みだされる加入者ポート番号を記憶する加入者接続アドレス制御メモリと、前記加入者端局部に対応して設けられ、該加入者ポート番号をアドレスとし読みだされる端局伝送路タイムスロット位置を記憶する加入者端局アドレス制御メモリと、前記端局伝送路接続部に対応して設けられ、該端局伝送路タイムスロット位置をアドレスとし読みだされる伝送路タイムスロットを記憶する端局伝送路接続アドレス制御メモリと、該加入者接続アドレス制御メモリ、加入者端局アドレス制御メモリ及び端局伝送路接続アドレス制御メモリの内容を合成して、該加入者線番号をアドレスとし該伝送路タイムスロットを記憶する一の合成アドレス制御メモリを有し、該一の合成アドレス制御メモリにより、該一体の時間スイッチを制御することを特徴とする。
【００１９】
更に、第６の構成は、前記第５の構成において、前記加入者接続アドレス制御メモリ、加入者端局アドレス制御メモリ及び端局伝送路接続アドレスメモリを監視制御し、タイムスロット割り当てを固定的に設定する第１のプロッセと、該加入者端局アドレス制御メモリを制御して、呼制御による集線を制御する第２のプロッセを有することを特徴とする。これにより、タイムスロット割り当てを    固定的あるいは動的に行う制御を第１のプロッセと第２のプロッセで、機能分担することが可能である。
【００２０】
また、第７の構成は、前記第６の構成において、前記第１、第２のプロセッサは、前記加入者端局アドレス制御メモリへの書き込みを行う際に、セマフォを取得し、且つ書き込みを行うアドレスに有効データが書き込まれている時は、書き込みを不可とすることを特徴とする。これにより、競合排他的処理が実現できる。
【００２１】
更に、第８の構成は、前記第６の構成において、前記第１、第２のプロセッサから前記加入者端局アドレス制御メモリへの書き込みを行う際に、書き込みデータにチェック・コードを付加し、該チェック・コードにより、該加入者端局アドレス制御メモリが書き込みデータの誤りを検知した時、該第１、第２のプロセッサの書き込みデータを送ったプロセッサに、誤り通知を行うことを特徴とする。
【００２２】
更に、第９の構成は、前記各構成において、前記加入者線と端局伝送路間の信号フォーマットを、非同期信号に対し、スタッフ・デスタッフを行い、同期した信号に写像することを特徴とする。特に、第１０の構成は、第９の構成において、前記信号フォーマットは、ＳＯＮＥＴ規格のＶＴ１．５フォーマットであることを特徴とする。
【００２３】
かかる構成により、非同期信号は、タイムスロット位置が、終端しない限り、不明であり、タイムスロットの入れ換えは、本来不可能である。同期・非同期両方を収容する場合、通常非同期信号は時間スイッチを経由せずに直接加入者インターフェース部に転送されるものであるが、本発明の構成により、同期・非同期を識別して装置内転送経路や転送方法を切り換えるような複雑さを回避することがな可能である。
【００２４】
更に、上記第９、１０の構成において、第１１の構成は、前記ＳＯＮＥＴ規格のＶＴ１．５フォーマットのオーバヘッド部に、前記交換局と前記加入者端局部間で授受される情報を割り当て、主信号とともにタイムスロットの入れ換えを行うことを特徴とする。
【００２５】
かかる構成により、該情報は論理加入者端局を意識しない、物理伝送路単位での管理を余儀なくされ、別に物理伝送路  論理加入者端局という変換を行わない限り論理加入者端局としての管理は出来ず、その為の各種資源（ハードウェアやソフトウェア）が余分に必要となる問題が回避できる。
【００２６】
更に、第１２の構成は、前記第６の構成において、前記端末ポートの１つに接続され、保守者の制御により、第１のプロセッサを制御して、タイムスロット割り当てを固定的に設定する装置運用端末を有することを特徴とする。
【００２７】
更に、第１３の構成は、装置間データ通信チャネルを設け、保守者の制御により、該装置間データ通信チャネルを通して、前記第１のプロセッサに制御信号を送り、タイムスロット割り当てを固定的に設定する装置運用端末を有することを特徴とする。
【００２８】
これにより保守者が装置設置場所に出向いて操作を行う、あるいは、わざわざ出向かずとも装置設置場所より遠隔に位置する保守センタからの遠隔操作のいづれにも対処可能である。
【００２９】
【発明の実施の形態】
以下、本発明の実施の形態を図面を参照して説明する。尚、図において同一又は類似の要素には同一の参照数字または参照記号を付して説明する。
【００３０】
ここで本発明の実施の形態を説明するに先立って、本発明の理解を容易とすべく、従来の加入者系端局装置である（ＴＲ−００８ＲＴ）及び（ＴＲ−３０３ＲＤＴ）の詳細について、以下に説明しておく。
【００３１】
図７は、ＴＲ−００８ＲＴの構成図である。図７において、加入者イン夕一フェース（ＳＩＮＦ：Ｓｕｂｓｃｒｉｂｅｒ  Ｉｎｔｅｒｆａｃｅｅ）部７０は、加入者線＃１〜＃９６を流れる音声アナログ信号をＰＣＭディジタル信号（北米では０次群：ＤＳ０信号）に変換する機能を持つ。ここで通常の電話加入者ならば、１の加入者について１つのＤＳ０を割り当てる。
【００３２】
１の加入者に複数のＤＳ０を割り当てる場合もある。例えばＩＳＤＮ加入者の場合１加入者に対して最大３のＤＳ０を割り当てる必要があるが、本装置では特殊の方法を採らない限り、複数ＤＳ０を持つ加入者へのサービス提供は不可能である。
【００３３】
多重／分離（ＭＵＸ：Ｍｕｌｔｉｐｌｅｘ／Ｄｅｍｕｌｔｉｐｌｅｘ  ）及びタイム・スロット入れ換え（ＴＳＩ：Ｔｉｍｅｓｌｏｔ  Ｉｎｔｅｒｃｈａｎｇｅ）部７１は、ＤＳ０を２４個分を多重化（ＤＳ０×２４）した後、局問伝送路信号フォーマット（北米では一次群：ＤＳ１）に変換する機能及び、受信したＤＳ１信号に対して同期確立後に、ＤＳ０×２４を分離する機能を持つ。
【００３４】
ここで集線を実施する運用形態では多重／分離機能に加えてタイム・スロット入れ換え機能が必要となるが、非集線運用では２４加入者をＤＳ１上の決められたタイム・スロット位置に固定的に割り当てれば良い。
【００３５】
伝送路インターフェース（Ｌ−ＩＮＦ：Ｌｉｎｅ  Ｉｎｔｅｒｆａｃｅ）部７２は、ＤＳ１信号を符号化（ＤＳ１の場合ＡＭＩ／Ｂ８ＺＳ方式）した後、適当な信号レベル（ＤＳＸ−１やＴ１）に変換して交換局に送出し、あるいはその逆を行う。
【００３６】
局間伝送路が光信号伝送路であるならば、加入者系端局装置からの出力はＤＳＸ−１であり、光多重化装置（Ｏｐｔｉｃａｌ  Ｍｕｌｔｉｐｌｅｘ  ）に入力される。予備伝送路の切換実行部（Ｌｉｎｅ  Ｓｗｉｔｃｈ  Ｃｏｎｔｒｏｌ  ）７３は、局間伝送路（ＬｉｎｅＡ〜ＬｉｎｅＤ）に障害が発生した際に、速やかに障害伝送路を予備伝送路（ＬｉｎｅＰ）に迂回させる制御を行う。
【００３７】
装置監視／制御（Ｓｈｅｌｆ  Ｃｏｎｔｒｏｌ  ）部７４は、伝送路および装置内部の状態監視や交換機からの保守（例えば試験）命令に対する制御を実行する。更に、加入者ポート（１〜９６）と、実際の加入者線（＃１〜＃９６）を接続する一種のパッチ・パネル（Ｃｒｏｓｓ  Ｃｏｎｎｅｃｔ  Ｐａｎｅｌ  ）７５が備えられ、加入者の接続替え等を容易に実施可能とする。
【００３８】
更に、必要により、局間伝送路（ＬｉｎｅＡ〜ＬｉｎｅＤ）及び予備伝送路（ＬｉｎｅＰ）は、光多重化装置７６により多重化されることも可能である。この場合は、局間伝送路の敷設が容易となる。
【００３９】
かかる構成の加入者端局装置は、例えば次のようなモードで運用される。
【００４０】
第１のモードは、市内交換機（Ｌｏｃａｌ  Ｓｗｉｔｃｈ）と対向して、加入者線を非集線モードで運用する場合である。このモードにおいては、加入者線は、集線されないので、加入者の電話使用状態に関わらず、加入者数分の信号を交換局に搬送するための局間伝送路タイム・スロットが用意されている。
【００４１】
第２のモードは、市内交換機と対向して、加入者線を集線モードで運用する場合である。第１のモードと異なる点は、加入者端局装置側で加入者の電話使用状態を監視（シグナリング：加入者線信号方式という）し、発呼検出した際に交換機に対してその旨を通知し、交換機側からのタイム・スロット割り当て指示に従って当該加入者を局間伝送路タイム・スロットに接続する。
【００４２】
この為、電話未使用の加入者にはタイム・スロットが割り当てられないので、伝送路の有効利用（４８のＤＳ０を１つのＤＳ１にて伝送可能）が図れる。交換機と装置の間の呼制御情報の授受は、ＤＳ１オーバ・ヘッド（ＳＬＣ−９６        Ｆｒａｍｅ  ＦｏｒｍａｔのＣｏｎｃｅｎｔｒａｔｉｏｎ  Ｆｉｅｌｄ  ：１１ビット）を介して行われる。
【００４３】
第３のモードは、非集線モードであるが、対向するものは市内交換機ではなく、交換局間伝送装置（Ｉｎｔｅｒ  Ｏｆｆｉｃｅ  Ｃｈａｎｎｅｌ  Ｂａｎｋ  ）やＤＣＳ（Ｄｉｇｉｔａｌ  Ｃｒｏｓｓ  Ｃｏｎｎｅｃｔ  Ｓｙｓｔｅｍ）であり、専用線が使用される。
【００４４】
市内交換機に収容されず、直接市外交換機（Ｆｏｒｅｉｇｎ  Ｓｗｉｔｃｈ）に収容されるサービスやホットラインに代表される非交換サービス対象となる加入者（特定サービス加入者）を搬送する運用形態である。
【００４５】
一方、ＴＲ−３０３ＲＤＴの概念構成が図８に示される。この装置では、収容加入者数を、従来のＴＲ−００８ＲＴにおける９６から２，０００以上とし、また局間ＤＳ１伝送路数も最大２８本としている。
【００４６】
ＴＲ−３０３ＲＤＴでは交換機による集線が基本である。更に、加入者サービスについても従来の通常電話サービス（Ｐ０ＴＳ：Ｐｌａｉｎ  Ｏｌｄ  Ｔｅｌｅｐｈｏｎｅ      Ｓｅｒｖｉｃｅ  ）や特定サービス（Ｓｐｅｃｉａｌ  Ｓｅｒｖｉｃｅ  ）等の１加入者に１ＤＳ０を割り当てるサービスに加えて、（Ｂａｓｉｃ  Ｒａｔｅ）ＩＳＤＮサービス（１加入者最大３ＤＳ０）や（Ｐｒｉｍａｒｙ  Ｒａｔｅ）ＩＳＤＮ等のＤＳ１サービス（１加入者最大２４ＤＳ０）をも可能とする仕様である。
【００４７】
更に、図８に示す様に、ＦＩＴＬ（Ｆｉｂｅｒ    Ｉｎ    Ｔｈｅ  Ｌｏｏｐ）と呼ばれるサービス形態を可能とする。即ち、遠方に位置する加入者にサービスを提供する為に、ＴＲ−３０３ＲＤＴ（ＦＩＴＬではＨＤＴ：Ｈｏｓｔ  Ｄｉｇｉｔａｌ  Ｔｅｒｍｉｎａｌと定義される）からＯＮＵ（０ｐｔｉｃａｌ  Ｎｅｔｗｏｒｋ  Ｕｎｉｔ）と呼ばれる加入者近郊に置かれる搬送装置との間に光ファイバを敷設し、０ＮＵから直接加入者に対してサービスを提供する方式も提唱されている。
【００４８】
しかしながら、先に説明したように、ＴＲ−００８ＲＴが未だ主流として存在する状況にあって、既存の運用形態を考慮しながらＴＲ−３０３ＲＤＴを運用する形態が問題となる。
【００４９】
そこで本発明は、図１に示す基本概念構成の加入者系伝送装置を提供するものである。図１の基本概念構成の特徴は、これまでは、装置即ち、一の加入者系端局という考えであったが、これを装置内部に論理的な加入者系端局（以降、論理加入者端局と呼ぶ）を設け、単一の装置で多様な加入者系端局構成を可能とすることである。
【００５０】
図１において、論理加入者端局部１は、複数のＴＲ−００８ＲＴ、ＴＲ−３０３ＲＤＴおよびＩＮＡにより論理的に構成する。ここで、ＩＮＡとは市内交換機に収容されずに局間搬送装置（Ｉｎｔｅｒ  Ｏｆｆｉｃｅ  Ｃｈａｎｎｅｌ  Ｂａｎｋ  やＤｉｇｉｔａｌ  Ｃｒｏｓｓ  Ｃｏｎｎｅｃｔ  Ｓｙｓｔｅｍ）に収容される加入者を搬送する為のＤＳ１単位の端局をいう。
【００５１】
かかる複数の論理加入者端局の各々は、ユーザ操作により自由に生成／削除がを可能とされる。ユーザ操作は装置前面に配置される端末接続ポートに接続される端末または装置間データ通信チャネルより行われる。
【００５２】
加入者接続部２は、実際の加入者線＃１〜＃２０１６を各論理加入者端局の加入者ポートに接続／切断を行う機能を持つ。特にＦＩＴＬ加入者は，加入者線が加入者系端局装置に現れず（加入者線はＯＮＵ側に接続されている：図９参照）、従来のパッチ・パネルでは配置替えが不可能である。これに対し、図１の構成では、装置内部で電気的に配置替えを行うことが可能である。
【００５３】
更に、加入者接続部２では通常加入者の接続のみならず、交換機と論理加入者端局部１の各論理加入者端局との間で、ＤＳ１−オーバヘッド（Ｏｖｅｒｈｅａｄ）またはＤＳ０を介してやりとりされる情報ＤＬ（論理加入者端局制御情報、一般にデータ・リンクと呼ばれる）も挿入・抽出される。
【００５４】
端局伝送路接続部３は、物理伝送路ＤＳ１＃１〜＃８４と端局伝送路ポートを接続・切断する機能を持ち、加入者パッチ・パネルと同様に、実際の局間伝送路ＤＳ１＃１〜＃８４と各論理加入者端局から出る伝送路を電気的に接続するＤＳ１パッチ・パネルに変わるものである。したがって、電話会社の運用・保守形態を変えないように考慮されている。
【００５５】
上記の論理加入者端局部１、加入者接続部２及び、端局伝送路接続部３の機能は、後に説明する様に３つのアドレス制御メモリ、それらを合成する合成アドレス制御メモリ及び、合成アドレス制御メモリによって制御される１つの時間スイッチにより実現される。
【００５６】
かかる構成を用いる実施例が、図２に示される。図２において、上記の３つのアドレス制御メモリが、加入者接続アドレス制御メモリ２１、論理加入者端局アドレスメモリ２２、及び端局伝送路接続アドレス制御メモリ２３に対応する。更に、合成アドレスメモリ２４は、これらの３つのアドレス制御メモリの内容を合成し、時間スイッチ２５を制御する。
【００５７】
図２において、時間スイッチ２５に接続される物理加入者インタフェース部２８及び物理伝送路インタフェース部２９は、それぞれ、図７に示す加入者系伝送装置に対応させる場合、加入者インターフェース（ＳＩＮＦ：Ｓｕｂｓｃｒｉｂｅｒ  Ｉｎｔｅｒｆａｃｅｅ）部７０、伝送路インターフェース（Ｌ−ＩＮＦ：Ｌｉｎｅ  Ｉｎｔｅｒｆａｃｅ）部７２に対応する。
【００５８】
ここで、図２の特徴は、図３により説明できる。即ち、一般に想定される構成では、１つのアドレス制御メモリに１つの時間スイッチまたは空間スイッチが接続される。従って、図３Ａにおいて、加入者接続アドレス制御メモリ２１及び端局伝送路接続アドレス制御メモリ２３のそれぞれが、空間スイッチ２１０及び２３０を制御する。論理加入者端局アドレスメモリ２２は、時間スイッチ２２０を制御する。空間スイッチ２１０及び２３０は、図１において、加入者接続部２及び端局伝送路接続部３が対応する。
【００５９】
即ち、図３Ａの構成では、図１において、加入者接続部２、端局伝送路接続部１、論理加入者端局部３の各々にアドレス制御メモリおよび時間・空間スイッチが実装され、加入者線上の信号が物理伝送路上に送出されるまでに３つの時問・空間スイッチを通過することになる。
【００６０】
１つの時問・空問スイッチの規模は（入力数×出力数）に比例して大きくなること、また時間スイッチを１つ通過するのに複数の入力からの位相（タイム・スロット位置）合わせを行う必要があることから信号の遅延を生じる。
【００６１】
従って、図３Ａの如くに構成することは、多段のスイッチを通すことによるハードウェア規模の増大および信号伝搬遅延により有利ではない。かかる点を考慮して、図２の実施例は、図３Ｂに示す様に３つのアドレス制御メモリ２１〜２３からのアドレス制御情報を単一の合成アドレスメモリ２４で合成する。
【００６２】
そして、この合成された単一の合成アドレスにより単一の時間スイッチ２５を制御する様にしている。従って、図３Ａに較べハードウェア規模および信号伝搬遅延の観点において有利である。
【００６３】
アドレス制御情報の合成の具体的方法は、図４に例示される。また、図５は、各アドレス制御メモリに対するアドレスと、読みだされるデータを示している。
【００６４】
図５において、加入者接続アドレス制御メモリ２１は、加入者線が接続される論理加入者端局１の加入者ポート番号をデータとして記憶する。そして、アドレスを加入者線番号として、加入者線番号に対応する加入者ポート番号が読み出される（図５Ａ参照）。
【００６５】
加入者接続アドレス制御メモリ２１から読みだされる加入者ポート番号は、論理加入者端局アドレス制御メモリ２２からデータを読み出すためのアドレスとなる。
【００６６】
ここで、論理加入者端局アドレス制御メモリ２２に記憶され、加入者ポート番号をアドレスとして読みだされるデータは、図５Ｂに示される。
【００６７】
▲１▼は集線対象か非集線対象かを示すフラグである。
【００６８】
▲２▼は端局伝送路タイムスロット位置を示すデータである。
【００６９】
▲３▼は加入者線信号（シグナリング）制御情報であり、集線時に局間伝送路とのタイム・スロット接続がなされていない時に加入者線信号を制御する為に使用される。
【００７０】
▲４▼は８ビット単位の接続をするか２ビット単位の接続をするか、更に２ビット単位の接続野場合、８ビットの端局伝送路タイム・スロットの何れの２ビットに接続するかを選択する情報である。通常は８ビットに設定され、加入者からのＤＳ０をそのまま接続する。
【００７１】
唯一の例外は、（Ｂａｓｉｃ  Ｒａｔｅ−ＩＳＤＮ：２Ｂ＋Ｄ）の加入者であり、Ｂ１／Ｂ２チャネルは８ビット接続されるが、Ｄチャネルは１６Ｋｂｐｓ（ｂｉｔ  ｐｅｒ      ｓｅｃｏｎｄ）の速度であり、ＤＳ０（６４Ｋｂｐｓ）の内２ビットで収容できる。
【００７２】
この為、１つの物理伝送路タイム・スロットに４つのＩＳＤＮ加入者のＤチャネルを多重することが可能であり、これを実現する方式として（４Ｄ−Ｃｈａｎｎｅｌｓ  ｔｏ  １  Ｔｉｍｅ  Ｄｉｖｉｓｉｏｎ  Ｍｕｌｔｉｐｌｅｘ  ）が提唱されている。
【００７３】
更に、図４に戻ると、図５Ｃに示される様に、端局伝送路接続アドレス制御メモリ２３には、データとして物理伝送路タイムスロット位置が記憶される。このデータは、論理加入者端局アドレス制御メモリ２２から読みだされる、端局伝送路タイムスロット位置（▲２▼）をアドレスとして、端局伝送路接続アドレス制御メモリ２３から読みだされる。
【００７４】
上記のように前段のアドレス制御メモリのデータを次段のアドレス制御メモリのアドレスとして利用すると、最終的に加入者線番号をアドレスとし、物理伝送路タイム・スロット位置を記憶データとする合成アドレス制御メモリ２４が生成できる。従って、時間スイッチ２５は、加入者線番号の物理加入者線を対応する物理伝送路タイムスロット位置に接続する様に合成アドレス制御メモリ２４により制御される。
【００７５】
図２に戻り更に説明する。図２に示す構成は、３つのアドレス制御メモリ２１、２２、２３に対し、単一のマイクロ・プロセッサが制御するのではなく、２つのマイクロ・プロセッサ２６、２７が制御する方式である。
【００７６】
加入者接続アドレス制御メモリ２１及び、端局伝送路アドレス制御メモリ２３は、監視制御プロセッサ２６（ＭＰＵ−Ａ）のみにより制御され、論理加入者端局アドレス制御メモリ２２は、監視制御プロセッサ２６と呼制御プロセッサ２７（ＭＰＵ−Ｂ）の２つのプロセッサにより制御される。
【００７７】
このように構成する理由は、交換機側からの制御パスが集線又は、非集線では異なる為である。即ち、集線制御は呼制御チャネル（Ｔｉｍｅｓｌｏｔ  Ｍａｎａｇｅｍｅｎｔ          Ｃｈａｎｎｅｌ  ）を介して行われる。一方、非集線は監視・制御通信チャネル                （Ｅｍｂｅｄｅｄ  Ｏｐｅｒａｔｉｏｎ  Ｃｈａｎｎｅｌ）により制御される。
【００７８】
尚、監視制御プロセッサ２６は、装置間データ通信チャネル（Ｄａｔａ  Ｃｏｍｌｕｎｉｃａｔｉｏｎ  Ｃｈａｎｎｅｌ）も処理し、後に説明する実施例からも理解できる様に、論理加入者端局関連の操作はこのプロセッサにより制御されるので上記の様に機能分担されている。
【００７９】
ここで論理加入者端局アドレス制御メモリ２２は、監視制御プロセッサ２６及び、呼制御プロセッサ２７の両方から書き込みがなされるので、以下の間題が生じる可能性がある。
（Ａ）一方のプロセッサが書き込み中に、他方のプロセッサからの書き込みを許容すると、何れのプロセッサの書き込みデータが残るかは、不定である。従って、一貫した競合処理がとれない。
（Ｂ）論理加入者端局アドレス制御メモリ２２は、監視制御プロセッサ２６及び、呼制御プロセッサ２７の共有メモリであるため、書き込み時にエラーが混入した場合の復旧が非常に困難である。また、信頼性にかける（たとえエラーを検出しても自プロセッサが書き込んだ時にエラーが混入したのか、相手プロセッサが書いた正しい値なのかの判別ができない）。
【００８０】
この問題については、実施例として以下の対応方法が取られる。
上記（Ａ）について、ハードウェアによるセマフォ（Ｓｅｍａｐｈｏｒｅ：プロセス間で、あらかじめ決められたルール、例えば、一定数値の獲得と返却に従って、相互間の実行を制御する方式をいう。）を用意し、論理加入者端局アドレス制御メモリ２２に書き込むプロセッサに、先ずセマフォをとることを義務付ける。セマフォを取得したプロセッサにのみ論理加入者端局アドレス制御メモリ２２への書き込みが許可されるようにする。これにより同時書き込みはあり得なくなる。
【００８１】
次に、上記（Ｂ）については、エラー・チェック機能を具備する。プロセッサからアクセス制御メモリへのデータ転送は、ＣＰＵバスを介して行われるが、そこにチェック・コード（ＣＲＣコード）を挿入し、アクセス制御メモリ側で同じ演算を行いチェック・コードと比較する。チェック・コードと一致していたらエラーなしということで論理加入者端局アドレス制御メモリ２２への書き込みを行う。不一致であるならば、エラ一発生という理由で、プロセッサに対して通知し、バス・サイクルを終了させる。
【００８２】
従来の加入者系端局装置（図７）と次世代装置（図８、図９）の違いとして、多様な加入者サービス、特により帯域の広い（即ち、１加入者に割り当てるＤＳ０容量が多い）サービスを提供可能にすることを、先に説明した。そこで本発明では１加入者に最大２４ＤＳ０までの帯域を割り当て、ＤＳ１サービスも提供可能とする。
【００８３】
ＤＳ１サービスといっても交換機側からのＤＳ１を一且終端（フレーム終端）して中のＤＳ０を入れ換えて加入者側より送り出すものと、フレーム終端せずに加入者へ送り出すものの２種類がある。前者はＩＮＡという論理加入者端局により実現されるが、後者はタイム・スロット入れ換えが必要ない。
【００８４】
非同期ＤＳ１ならば、フレーム終端できない（フレームが終端できなければ中のＤＳ０を見つけることができない）ので、時間スイッチを通すことが出来ず別の転送経路を具備する必要があり、ハードウェア規模を増大かつ複雑にする。
【００８５】
この為に、図２に示すように装置内部でＳ０ＮＥＴ信号（ＶＴ１．５）終端部３０と加入者インターフェース部２８の間のインターフェースをＶＴ１．５として、非同期ＤＳ１も時間スイッチ２５を通せるように構成されている。
【００８６】
ＳＯＮＥＴ規格の非同期ＶＴ１．５信号フォーマットが図６に示される。このフォーマットは、非同期ＤＳ１信号に対してスタッフ・ディスタッフ（Ｓｔｕｆｆ／Ｄｅｓｔｕｆｆ）を施して基準タイミングに対して、バイト同期した、いわぱパイプの中に非同期ＤＳ１を収容するものである。
【００８７】
バイト同期されたＶＴ１．５をバイト単位で時間スイッチ２５に通す。ここでは、本来ＤＳ１を全て１加入者に届けるので、入れ換え自体は全く必要がなく、単に同期ＤＳ１＋ＤＳ０の入れ換えと同じ経路を通すことでハードウェア規模及び複雑さの間題を解消するのみである。時間スイッチ２５を通過した後で、再度ＶＴ１．５フォーマットに戻し、加入者インターフェ一ス部２８において、ＤＳ１を取り出して加入者へ送出する。
【００８８】
尚、装置内部でＶＴ１．５フォーマットを流用することにより、そのオーバ・へッドにＤＳ１データ・リンクを挿入して時間スイッチ２５に通すことにより論理加入者端局という単位でそれらの情報を処理することも可能となる。
【００８９】
ＤＳ１データ・リンクとはＤＳ１信号のフレーム・ビットに定義されている同期検出ビット以外の、保守目的で使用される情報の通信パスであり、先述のＳＬＣ−９６フレーム・フォーマット（Ｆｒａｍｅ  Ｆｏｒｍａｔ）のコンセントレーション・フィールド（Ｃｏｎｃｅｎｔｒａｔｉｏｎ  Ｆｉｅｌｄ  ）がその一例である。他にもＳＬＣ−９６フレーム・フォーマット（Ｆｒａｍｅ  Ｆｏｒｍａｔ）ではアラーム・フィールド（Ａｌａｒｍ  Ｆｉｅｌｄ  ：ＴＲ−００８ＲＴのシステム・アラームを通知したり、交換機側より指定された端局伝送路にループ・バックを実行する為に使用される）、メンテナンス・フィールド（Ｍａｉｎｔｅｎａｎｃｅ  Ｆｉｅｌｄ  ：ＴＲ００８ＲＴの加入者線に対するメタリック試験制御の為に使用される）等が実用されている。
【００９０】
ＴＲ−００８ＲＴの場合には、上記のようにＴＲ００８ＲＴ単位、即ち、論理端局伝送路単位でのＤＳ１データ・リンク処理が要求されるが、ＤＳ１データ・リンクは同期検出ビット同様、フレーム・ビットに挿入される情報であることから、ＤＳ１信号の同期を確立する部分、即ち物理伝送路にくくりつけられるＤＳ１Ｆｒａｍｅｒ／Ｄｅｆｒａｍｅｒ  により終端されなければならない。
【００９１】
この物理伝送路単位のＤＳ１データ・リンクをＴＲ−００８ＲＴ単位の情報として見せるには通常の加入者信号（Ｐａｙｌｏａｄ  ）と同様に物理伝送路より抽出されるＤＳ１データ・リンクを非同期ＶＴ１．５信号フォーマット上の余剰バイトに挿入して端局伝送路接続部３にてタイム・スロットの入れ換えを施して論理加入者端局部１に渡すことにより実現される。
【００９２】
ＶＴ１．５信号は１２５μｓｅｃ当たり２７バイトの情報を伝送可能であり、ＤＳ１信号が１２５μｓｅｃ当たり２４ＤＳ０（バイト）伝送であることから３バイト分の余剰バイトが存在する。この３バイトを使用して装置内部でのＤＳ１データ・リンク情報転送を行う。
【００９３】
図１中、論理加入者端局部１のＴＲ−００８ＲＴ＃１〜＃２１から加入者１〜９６に対し、出力される論理加入者端局制御情報がこれに対応する。ＴＲ３０３ＲＤＴの場合には論理加入者端局単位で処理が必要なＤＳ１データ・リンクは存在しないが、先述の呼制御チャネル（ＴｉｍｅｓｌｏｔＭａｎａｇｅｍｅｎｔ  Ｃｈａｎｎｅｌ）や監視・制御通信チャネル（Ｅｍｂｅｄｅｄ  Ｏｐｅｒａｔｉｏｎ  Ｃｈａｎｎｅｌ  ）はＤＳ０データ・リンクと呼ばれ、ＴＲ一３０３ＲＤＴ単位での処理が必要である。これらについても上記と同じ方法でＴＲ−３０３ＲＤＴ単位での処理を実現する。
【００９４】
上記の構成により図２において、加入者系端局装置の運用は以下の手順で行われる。
【００９５】
▲１▼ユーザによる論理加入者端局の生成・削除
▲２▼ユーザによる加入者接続部２の設定
▲３▼ユーザによる端局伝送路接続部３の設定
▲４▼ユーザによる専用回線（非集線）設定または交換機による呼制御（集線）
上記▲１▼ユーザによる論理加入者端局の生成・削除の手順は、端末接続ポートまたは装置間データ通信チャネルを介してＴＬ−１（Ｔｒａｎｓａｃｔｉｏｎ  Ｌａｎｇｕａｇｅ  １）というメッセージにより行われる。
【００９６】
以下にそのメッセージを示す。尚、ＴＲ００８ＲＴおよびＩＮＡについては論理加入者端局としてのアラームが存在しないことから生成および削除の操作は適用されず、常に生成状態にあるものとする。
【００９７】
この手順では論理加入者端局部１即ち、論理加入者端局アドレスメモリ２２の設定が行われ、論理加入者端局内部において、論理加入者ポートと論理端局伝送路タイム・スロットとの接続（未接続も含む）を行う。
（ａ）ＥＮＴ−ＲＤＴ：〈ＴＩＤ〉：〈ＡＩＤ〉：〈ＣＴＡＧ〉：：：〈ＫＥＹＷ０ＲＤ＝ＤＯＭＡＩＮ〉：；
このメッセージは、ＴＲ−３０３ＲＤＴを生成する為のメッセージであり、〈ＡＩＤ〉は４つのＲＤＴ内（図１のＴＲ−３０３＃１〜＃４）のどれを生成するかを指定するパラメータである。
【００９８】
〈ＫＥＹ    Ｗ０ＲＤ＝ＤＯＭＡＩＮ〉は、当該ＴＲ−３０３ＲＤＴに対する各種設定、例えば装置に複数収容できるＤＣバイパス対（Ｂｙｐａｓｓ  Ｐａｉｒ  ：加入者線を試験する為に交換局にある試験０Ｓと加入者系端局装置の間に敷線される銅線）のいずれを使用するか、呼制御チャネル（Ｔｉｍｅｓｌｏｔ  Ｍａｎａｇｅｍｅｎｔ  Ｃｈａｎｎｅｌ  ）及び監視・制御通信チャネル（Ｅｍｂｅｄｅｄ  Ｏｐｅｒａｔｉｏｎ  Ｃｈａｎｎｅｌ  ）を通すＤＳ１をどれにするか、対向する交換機が何であるか等を指定するパラメータである。
【００９９】
装置内部動作として、本メッセージを受信すると監視制御プロセッサ２６は論理加入者端局部内の指定されたＴＲ一３０３ＲＤＴに対応する論理加入者端局制御メモリ２２に呼制御チャネル（Ｔｉｍｅ  Ｓｌｏｔ  Ｍａｎａｇｅｍｅｎｔ  Ｃｈａｎｎｅｌ）により呼（集線）制御を行う呼制御プロセッサ２７がアクセス可能な（即ち論理加入者端局制御メモリ２２のデータ構造上の集線・非集線フラグを集線とした）『未接続』値を書き込む。また指定されたＴＲ−３０３ＲＤＴに属するアラームのマスクを解除する。
（ｂ）ＤＬＴ一ＲＤＴ〈ＴＩＤ〉：〈ＡＩＤ〉：〈ＣＴＡＧ〉：：：：；
このメッセージは、ＥＮＴ−ＲＤＴメッセージにより生成されたＴＲ−３０３ＲＤＴを削除する為のメッセージである。
【０１００】
装置内部動作として、本メッセージを受信すると監視制御プロセッサ２６は指定されたＴＲ−３０３ＲＤＴに対応する論理加入者端局アドレス制御メモリ２２に『未接続』値を書き込み、当該ＴＲ３０３ＲＤＴに属する全てのアラームをマスクし、外部に通知しない。
（ｃ）ＥＤ−ＲＤＴ：〈ＴｌＤ〉：〈ＡｌＤ〉：〈ＣＴＡＧ〉：：：〈ＫＥＹＷ０ＲＤ＝ＤＯＭＡＩＮ〉：；
このメッセージはＴＲ一００８ＲＴおよび生成されているＴＲ３０３ＲＤＴに対して、各種設定を行うものである。ＴＲ−３０３ＲＤＴの設定についてはＥＮＴ−ＲＤＴメッセージにより指定可能なものの一部が設定可能である。ＴＲ−００８ＲＴについてはＭｏｄｅ＝１／２／３のいずれで動作するか、またＭｏｄｅ＝１／３の場合にＤ１Ｄ／Ｄ４いずれのカウンティング・シーケンスで論理加入者を論理端局伝送路上のどのタイム・スロットに割り当てるかを指定するパラメータが定義されている。
【０１０１】
装置内部動作として、本メッセージを受信するとＴＲ−００８ＲＴの場合は指定されたＭｏｄｅおよびカウンティング・シーケンスに従って一意に決定される論理加入者端局部接続データを監視制御プロセッサ２６が〈ＡＩＤ〉にて指定されたＴＲ−００８ＲＴに対応する論理加入者端局アドレス制御メモリ２２に書き込む。
【０１０２】
Ｍｏｄｅ＝２に指定されたＴＲ−００８ＲＴについては、同じく監視制御プロセッサ２６が、ＳＬＣ−９６コンセントレーション・フィールド（Ｃｏｎｃｅｎｔｒａｔｉｏｎ  Ｆｉｅｌｄ）により呼（集線）制御を行うプロセッサ２７がアクセス可能な（即ち，論理加入者端局アドレス制御メモリ２２のデータ構造上の集線・非集線フラグを集線とした）『未接続』値を書き込む。
【０１０３】
ＴＲ−３０３ＲＤＴについては論理加入者端局アドレス制御メモリ２２への書き込み作業は、ＥＮＴ／ＤＬＴ−ＲＤＴメッセージ受信時のみ行う必要があるので、行われない。
【０１０４】
▲２▼ユーザによる加入者接続部２の設定の手順も、▲１▼ユーザによる論理加入者端局の生成・削除の手順と同様に、端末接続ポートまたは装置間データ通信チャネルを介してＴＬ−１（Ｔｒａｎｓａｃｔｉｏｎ  Ｌａｎｇｕａｇｅ  １）というメッセージにより行われる。本手順では加入者接続部２、即ちＳ−ＡＣＭへの設定を行い、任意の物理加入者をどの論理加入者端局のどの加入者ポートに接続するかを設定する。
（ｄ）ＥＮＴ−ＣＲＳ−ＴＯ：〈ＴＩＤ〉：〈ＦＲＯＭ    ＡＩＤ〉，〈ＴＯ    ＡＩＤ〉：〈ＣＴＡＧ〉：：：：；
本メッセージは〈ＦＲ０Ｍ    ＡＩＤ〉として指定する論理加入者端局部１の加入者ポートと〈ＴＯ    ＡＩＤ〉として指定する物理加入者を接続するメッセージである。
【０１０５】
装置内部の動作として、このメッセージを受信すると監視制御プロセッサ２６は、図４に示すように〈ＴＯ    ＡＩＤ〉で指定された物理加入者番号に対応する加入者接続アドレス制御メモリ２１に〈ＦＲＯＭ    ＡＩＤ〉により指定された論理加入者端局の加入者ポート番号に対応するデータを設定する。これにより、その物理加入者線（例えば電話回線）上の信号は特定の論理加入者端局（ＴＲ００８ＲＴ＃１〜＃２１，ＴＲ一３０３ＲＤＴ＃１〜＃４，ＩＮＡ＃１〜＃８４）の特定の加入者ボート上に現れるようになる。
（ｅ）ＤＬＴ−ＣＲＳ−ＴＯ：〈ＴＩＤ〉：〈ＦＲＯＭ    ＡＩＤ〉，〈ＴＯ    ＡＩＤ〉：〈ＣＴＡＧ〉：：：：；
本メッセージはＥＮＴ−ＣＲＳ−ＴＯメッセージにより設定されている加入者接続部２の接続状態を、〈ＦＲＯＭ    ＡＩＤ〉として指定する論理加入者端局の加入者ポートと〈ＴＯ    ＡＩＤ〉として指定する物理加入者との間の接続を切断するメッセージである。
【０１０６】
装置内部の動作として、本メッセージを受信すると監視制御プロセッサ２６は図４で示すように〈ＴＯ    ＡＩＤ〉で指定された物理加入者番号に対応する加入者接続アドレス制御メモリ２１に『切断』に相当するデータを設定する。
【０１０７】
▲３▼ユーザによる端局伝送路接続部３の設定手順も、▲１▼ユーザによる論理加入者端局の生成・削除の手順と同様に、端末接続ポートまたは装置間データ通信チャネルを介してＴＬ−１（Ｔｒａｎｓａｃｔｉｏｎ  Ｌａｎｇｕａｇｅ  １）というメッセージにより行われる。本手順では端局伝送路接続部３、即ちＦ一ＡＣＭへの設定を行い、任意の物理伝送路ＤＳ＃１〜＃８４をどの論理加入者端局のどの端局伝送路ポートに接続するかを設定する。
（ｆ）ＥＮＴ−ＣＲＳ一Ｔ１：〈ＴＩＤ〉：〈ＦＲＯＭ    ＡＩＤ〉，〈ＴＯ    ＡＩＤ〉：〈ＣＴＡＧ〉：：：：；
本メッセージは〈ＦＲＯＭ    ＡＩＤ〉として指定する物理伝送路（物理ＤＳ１）と〈ＴＯ    ＡＩＤ〉として指定する論理加入者端局の端局伝送路ポート（論理ＤＳ１）を接続するメッセージである。
【０１０８】
装置内部の動作として、本メッセージを受信すると監視制御プロセッサ２６は、図４で示すように〈ＴＯ    ＡＩＤ〉で指定された端局伝送路番号に対応する端局伝送路接続アドレス制御メモリ２３により指定されるアドレスに〈ＦＲＯＭ    ＡＩＤ〉により指定された物理伝送路番号に対応するデータを設定する。
【０１０９】
これにより、その物理伝送路上の信号は（ＤＳｌデータ・リンク情報も含めて）特定の端局伝送路ポート上に現れるようになる。
（ｇ）ＤＬＴ−ＣＲＳ−Ｔ１：〈ＴＩＤ〉：〈ＦＲＯＭ    ＡＩＤ〉，〈ＴＯ    ＡＩＤ〉：くＣＴＡＧ〉：：：：；
このメッセージは、ＥＮＴ−ＣＲＳ一Ｔ１メッセージにより設定されている端局伝送路加入者接続部２の接続状態を、〈ＦＲＯＭ    ＡＩＤ〉として指定する物理伝送路と〈ＴＯ    ＡＩＤ〉として指定する論理加入者端局の端局伝送路との接続を切断するメッセージである。
【０１１０】
装置内部の動作として、本メッセージを受信すると監視制御プロセッサ２６は図４で示すように〈ＴＯ    ＡＩＤ〉で指定された端局伝送路番号に対応する、端局伝送路接続アドレス制御メモリ２３により指定されるアドレスに『切断」に相当するデータを設定する。
【０１１１】
上記▲４▼ユーザによる専用回線（非集線）設定または交換機による呼制御（集線）手順について、専用回線設定はＴＲ−３０３ＲＤＴについてのみ適用され、監視・制御通信チャネル（Ｅｍｂｅｄｅｄ  Ｏｐｅｒａｔｉｏｎ  Ｃｈａｎｎｅｌ  ）により制御される。    呼制御は、ＴＲ−３０３ＲＤＴについては呼制御チャネル（Ｔｉｍｅｓｌｏｔ        Ｍａｎａｇｅｍｅｎｔ  Ｃｈａｎｎｅｌ）により、ＴＲ−００８ＲＴについて（ただし、ＥＤ−ＲＤＴメッセージにてＭｏｄｅ＝２と設定されている場合）はＳＬＣ−９６コンセントレーション・フィールド（Ｃｏｎｃｅｎｔｒａｔｉｏｎ  Ｆｉｅｌｄ  ）によりそれぞれ制御される。
【０１１２】
この手順では論理加入者端局部１即ち、Ｄ−ＡＣＭ１に対して設定がなされ、任意のＴＲ−００８ＲＴおよびＴＲ−３０３ＲＤＴについて論理加入者ポートと論理端局伝送路タイム・スロットとの接続（未接続も含む）を行う。
【０１１３】
装置内部動作として、監視・制御通信チャネル（Ｅｍｂｅｄｅｄ  Ｏｐｅｒａｔｉｏｎ  Ｃｈａｎｎｅｌ  ）より専用回線設定がなされた場合、指定された２端（ＥＮＴ−ＣＲＳ一Ｔ０／Ｔ１メッセージで指定される〈ＦＲＯＭ    ＡＩＤ〉，〈ＴＯ    ＡＩＤ〉に相当するもの）について、図４で示すように、論理加入者ポート識別子に対応する論理加入者端局アドレス制御メモリ２２のアドレスに論理端局伝送路タイム・スロット識別子に相当するデータを監視制御プロセッサ２６に設定する。
【０１１４】
この時、監視制御プロセッサ２６は、論理加入者端局アドレス制御メモリ２２のデータ構造上の集線・非集線フラグを『非集線』として設定する為、以降呼（集線）制御を行う呼制御プロセッサ２７は、専用回線設定された論理加入者に対して（専用回線設定が切断される迄）アクセスできなくなる。
【０１１５】
このように集線・非集線の間の競合排他処理が実現される。呼制御チャネル（Ｔｉｍｅｓｌｏｔ  Ｍａｎａｇｅｍｅｎｔ  Ｃｈａｎｎｅｌ  ）またはＳＬＣ−９６コンセントレーション・フィールド（Ｃｏｎｃｒｅｎｔｒａｔｉｏｎ  Ｆｉｅｌｄ）による呼制御についても交換機側より（論理）加入者ポート番号と（論理）端局伝送路タイム・スロット番号が呼制御チャネル（Ｔｉｍｅｓｌｏｔ  Ｍａｎａｇｅｍｅｎｔ  Ｃａｎｎｅｌ）またはＳＬＣ−９６コンセントレーション・フィールド（Ｃｏｎｃｒｅｎｔｒａｔｉｏｎ  Ｆｉｅｌｄ）のタイム・スロット接続要求メッセージにて指定される。
【０１１６】
タイム・スロット接続要求を受理すると、呼制御プロセッサ２７は（論理）加入者ポート番号に対応する論路加入者端局アドレス制御メモリ２２のアドレスに、論路加入者端局アドレス制御メモリ２２のデータ構造上の集線・非集線フラグを『集線』とした（論理）端局伝送路タイム・スロット番号に相当するデータを設定する。
【０１１７】
この為、監視制御プロセッサ２６は、以降集線設定された論理加入者に対して（呼制御によるタイム・スロット接続が切断される迄）アクセスできなくなる。非集線および集線によるタイム・スロット切断についても上記と同じ制御（論路加入者端局アドレス制御メモリ２２に書き込むデータが『未接続』に代わるのみ）が適用される。
【０１１８】
上記▲１▼〜▲４▼の手順により任意の物理加入者と任意の物理伝送路タイム・スロットとの間での双方向通信パスが形成され、通常サービス運用状態となる。▲１▼〜▲３▼の手順は、本発明にしたがう加入者系端局装置固有の設定操作であり、手順▲４▼によりサービスを提供する上での前提となる。▲１▼〜▲３▼の手順についてはどのような順序で設定を行っても良い。
【０１１９】
【発明の効果】
以上、図面に従い説明したように、本発明により、一の装置で、特にＴＲ−００８／ＴＲ−３０３の両方の規格に対応可能である加入者系端局装置が提供される。更に、ユーザの操作により容易に機能を変更可能な加入者系端局装置が提供される。
【０１２０】
尚、上記の実施の形態の説明及び図面は、本発明の説明のためのものであり、本発明の保護の範囲は、これに限定されない。各請求項に記載されるものと均等の範囲も、本発明の保護の範囲に含まれるものである。
【図面の簡単な説明】
【図１】本発明にしたがう加入者系伝送装置の基本概念構成を説明する図である。
【図２】本発明の実施例の構成ブロック図である。
【図３】図２の実施例の特徴を説明する図である。
【図４】アドレス制御情報の合成の具体的方法を説明する図である。
【図５】アドレス制御メモリに対するアドレスと、読みだされるデータを示す図である。
【図６】ＳＯＮＥＴ規格の非同期ＶＴ１．５信号フォーマットを示す図である。
【図７】ＴＲ−００８ＲＴの構成を示す図である。
【図８】ＴＲ−３０３ＲＤＴの概念構成を示す図である。
【図９】ＴＲ−３０３ＲＤＴの加入者サービスの多様性を説明する図である。
【符号の説明】
１    論理加入者端局部
２    加入者接続部
３  端局伝送路接続部
２１  加入者接続アドレス制御メモリ
２２  論理加入者端局アドレス制御メモリ
２３  端局伝送路接続アドレス制御メモリ
２４  合成アドレス制御メモリ
２５  時間スイッチ
２６  監視制御プロセッサ
２７  呼制御プロセッサ
２８  物理加入者インタフェース部
２９  物理伝送路インタフェース部
３０  Ｓ０ＮＥＴ信号（ＶＴ１．５）終端部
【図１】
0003585335.tif 000002
【図２】
0003585335.tif 000003
【図３】
0003585335.tif 000004
【図４】
0003585335.tif 000005
【図５】
0003585335.tif 000006
【図６】
0003585335.tif 000007
【図７】
0003585335.tif 000008
【図８】
0003585335.tif 000009
【図９】
0003585335.tif 000010